(57)【特許請求の範囲】
【請求項１】
複数個の屋根小壁が対向して立設され、この複数個の屋根小壁が連結材で連結された屋根の骨格を有する建物であって、前記連結材は、下側縁を屋根小壁の下端より高く位置させて屋根小壁に取り付けられ、この連結材の下面に天井が設けられ、上記連結材と屋根小壁の接合部には、連結材より下側に突出した束材が設けられ、上記屋根小壁を支持する柱、梁、桁、又は耐力壁のいずれかより上記束材の屋内外方向の厚さが大きくされてなることにより、上記束材が上記柱、梁、桁、又は耐力壁のいずれかから屋内側に突出して段差部が形成され、この段差部にカーテンボックスが設けられていることを特徴とする建物。
【請求項２】
複数個の屋根小壁が対向して立設され、この複数個の屋根小壁が連結材で連結された屋根の骨格を有する建物であって、前記連結材は、下側縁を屋根小壁の下端より高く位置させて屋根小壁に取り付けられ、この連結材の下面に天井が設けられ、上記連結材と屋根小壁の接合部には、連結材より下側に突出した束材が設けられ、上記屋根小壁を支持する柱、梁、桁、又は耐力壁のいずれかより上記束材の屋内外方向の厚さが大きくされてなることにより、上記束材が上記柱、梁、桁、又は耐力壁のいずれかから屋内側に突出して段差部が形成され、この段差部に照明器具が設けられていることを特徴とする建物。
【発明の詳細な説明】
【０００１】
【発明の属する技術分野】
本発明は建物に関する。
特に、ユニット建物に好適な建物に関する。
【０００２】
【従来の技術】
従来のユニット建物は、特公昭６１−１５８３号公報に記載あるように、工場で建物ユニットと屋根ユニットを製造し、これを施工現場に運搬し、施工現場で建物ユニットを複数個組み立て、この建物ユニットの上に屋根ユニットを据え付けたものである。この屋根ユニットは複数個の屋根小壁を立設し、この複数個の屋根小壁を連結材で連結した骨格を有するものである。
【０００３】
又、通常の建物においても、予め、屋根小壁を工場等で組み立てておいて、これを複数個立設し、この複数個の屋根小壁を連結材で連結して屋根の骨格を形成することが多い。
そして、この屋根小壁の下側に天井を設けて居住空間としている。
この天井は低いと押さえられた感じがして居住性が悪いので、天井をできるだけ高くすることが好ましい。
【０００４】
【発明が解決しようとする課題】
しかし、天井を高くすると広々として居住性がよくなり好ましいが、天井を高くすると、屋根全体を高くする必要があり、建物が高価になるという問題がある。
特に、ユニット建物では、工場で製造した建物ユニットを施工現場に運搬する必要があることから、建物ユニットの高さを一定以上に高くすることができない。従って、天井を高くすることが困難であった。
そこで、本発明の目的は、建物や建物ユニットを高くすることなく天井を高くして居住性をよくした建物を提供することである。
【０００５】
【課題を解決するための手段】
本発明は上記目的を達成するためになしたものであって、請求項１または２に記載の発明は、複数個の屋根小壁が立設され、この複数個の屋根小壁が連結材で連結された屋根の骨格を有する建物であって、前記連結材は、下側縁を屋根小壁の下端より高く位置させて屋根小壁に取り付けられ、この連結材の下面に天井が設けられているものである。
【０００６】
連結材と屋根小壁の接合部に設けられる束材の屋内外方向の厚さが、柱や梁や桁や耐力壁より大きい場合、この束材を柱、梁、桁、耐力壁のいずれかの上に載置すると、束材下端面が柱や梁や桁や耐力壁より屋内側に突出して段差部を生じて、このままでは不自然で美観を損なう。
この段差部に請求項１または２記載の発明のようにカーテンボックスや、照明器具を設けていると、カーテンボックスや照明器具を壁から突出させて設けたのと同様の自然な外観となり、段差が目立たず、美観を損なうことがない。
【０００７】
即ち、請求項１記載の発明は、複数個の屋根小壁が対向して立設され、この複数個の屋根小壁が連結材で連結された屋根の骨格を有する建物であって、前記連結材は、下側縁を屋根小壁の下端より高く位置させて屋根小壁に取り付けられ、この連結材の下面に天井が設けられ、上記連結材と屋根小壁の接合部には、連結材より下側に突出した束材が設けられ、上記屋根小壁を支持する柱、梁、桁、又は耐力壁のいずれかより上記束材の屋内外方向の厚さが大きくされてなることにより、上記束材が上記柱、梁、桁、又は耐力壁のいずれかから屋内側に突出して段差部が形成され、この段差部にカーテンボックスが設けられているものである。
【０００８】
又、請求項２記載の発明は、複数個の屋根小壁が対向して立設され、この複数個の屋根小壁が連結材で連結された屋根の骨格を有する建物であって、前記連結材は、下側縁を屋根小壁の下端より高く位置させて屋根小壁に取り付けられ、この連結材の下面に天井が設けられ、上記連結材と屋根小壁の接合部には、連結材より下側に突出した束材が設けられ、上記屋根小壁を支持する柱、梁、桁、又は耐力壁のいずれかより上記束材の屋内外方向の厚さが大きくされてなることにより、上記束材が上記柱、梁、桁、又は耐力壁のいずれかから屋内側に突出して段差部が形成され、この段差部に照明器具が設けられているものである。
【０００９】
本発明において、連結材とは対向する屋根小壁を連結するものであって、棟木、母屋、梁等をいう。又、この棟木、母屋、梁等は一本の木材等の棒状体であってもよいし、これを例えば平行弦トラス等に組み立てたものであってもよい。
又、本発明において、連結材の下側縁を屋根小壁の下端より高く位置させて取り付けられているが、天井の両側の連結材をすべて同じ高さにして取り付けてもよいし、一方を高くし他方を低くした所謂船底天井にしてもよい。
【００１０】
（作用）
本発明の建物は、連結材の下側縁を屋根小壁の下端より高く位置させて連結材が屋根小壁に取り付けられ、この連結材の下側に天井が設けられているから、天井が高くなる。
請求項１記載の発明では、束材が屋外側に突出した段差部にカーテンボックスが設けられているから、カーテンボックスを壁から突出させて設けたことと同じになり、美観を損なうことがない。
又、請求項２記載の発明では、束材が屋外側に突出した段差部に照明器具が設けられているから、照明器具を壁から突出させて設けたことと同じになり、美観を損なうことがない。
【００１１】
【発明の実施の形態】
次に、本発明の実施例を説明する。
（実施例１）
図１〜図４は本発明建物をユニット建物に適用した一実施例を示すもので、図１（イ）はユニット建物を示す説明図、（ロ）は（イ）のＡ−Ａ線における断面図、図２は耐力壁を示す一部切欠説明図、図３は建物ユニットを示す説明図、図４（イ）は軒側の屋根ユニットを示す説明図、（ロ）は棟側の屋根ユニットを示す説明図である。
【００１２】
図１〜図４において、１はユニット建物であり、このユニット建物１は、図１（イ）に示すように、建物ユニット２と屋根ユニット３とからなる。
建物ユニット２は、図３に示すように、耐力壁２１と床パネル２２を箱形に組み立てたものである。
耐力壁２１は、図２に示すように、断面の大きさが３８ｍｍ×８９ｍｍの桟材２１１をほぼ矩形に組み立てこの一面に厚み９ｍｍの合板２１２を、又、他面に厚み１２ｍｍの石膏ボード２１３を取り付けたものである。
【００１３】
屋根ユニット３は軒側の屋根ユニット３−１と棟側の屋根ユニット３−２の２種類ある。
軒側の屋根ユニット３−１は、図４（イ）に示すように、断面の大きさが３８ｍｍ×８９ｍｍの木材を縦枠４１、上枠４２、受け枠４３にして三角形に組み立てた屋根小壁４を２個ほぼ平行に立設し、この２個の屋根小壁４の軒側を断面の大きさが３８ｍｍ×２３５ｍｍの鼻隠し６１と棟側を平行弦トラスからなる連結材６２とを差し渡して骨格を形成し、この鼻隠し６１、連結材６２に断面の大きさが３８ｍｍ×８９ｍｍの木材からなる垂木４４を複数本差し渡し、この垂木４４の上に野地板４５を取り付けたものである。
【００１４】
尚、連結材６２は断面の大きさが３８ｍｍ×２３５ｍｍの上弦材６２１と下弦材６２２とを断面の大きさが３８ｍｍ×８９ｍｍの木材からなる垂直材６２３、斜材６２４で連結した平行弦トラスである。
連結材６２と屋根小壁４の側端部とは連結材６２に予め固定された束材９１を介して接合されている。
ここで、上弦材６２１を束材４１の上端部に、又、下弦材６２２を束材４１の中央部にして、下弦材６２２の下縁側を屋根小壁の下端より高くしている。
【００１５】
棟側の屋根ユニット３−２は、図４（ロ）に示すように、上記軒側の屋根ユニット３−１の縦枠４１とほぼ同じ大きさの縦枠５１を複数本を立設し、この複数本の縦枠５１の上下を横枠５３１、５３１で連結して、縦枠５１と横枠５３１とでほぼ矩形の受け枠５３を構成し、この受け枠５３の上側の横枠５３１のほぼ中央に小屋束５５を立設し、この小屋束５５の上と上側の横枠５３１の両端に架け渡した上枠５２とからなる屋根小壁５を２個対向させて立設し、この２個の屋根小壁５の側端部に束材９２を介して連結材６３を接合し、小屋束５５の上に棟木５７を差し渡して骨格を形成し、この骨格の棟木５７と連結材６３に垂木５４を複数本差し渡し、この垂木５４の上に野地板５９を取り付けたものである。
【００１６】
尚、連結材６３は上弦材６３１と下弦材６３２とを垂直材６３３、斜材６３４で連結した平行弦トラスである。
そして、上弦材６３１を束材９２の上端部に、又、下弦材６３２を束材９２の中央部にして下弦材６３２の下縁側を屋根小壁の下端より高くしている。
【００１７】
この屋根ユニット３は、図１（ロ）に示すように、建物ユニット２の耐力壁２１上に載せて取り付けられる。
ここで、建物ユニット２の耐力壁２１の枠組は断面寸法３８ｍｍ×８９ｍｍの木材を使用しているが、屋根ユニット３の束材９１、９２は断面寸法３８ｍｍ×２３５ｍｍを使用した場合、束材９１、９２の一部が屋内側に突出して段差部９１１、９２１を生じる。
７は天井であり、この天井７は連結材６２、６３の下面、即ち、下弦材６２２、６３２の下面に取り付けられた桟材７１と、この桟材７１の下面に取り付けられた厚み１２ｍｍの石膏ボードからなる天井材７２とからなる。
【００１８】
尚、この天井７から下方に突出している束材９１、９２には厚み１２ｍｍの石膏ボードからなる内壁材７３が差し渡されて取り付けられていて、屋内から束材９１、９２が見えないようになっている。
８はカーテンボックスであり、このカーテンボックス８は上記段差部９１１、９２１に設けられている。
９５はカーテンボックスを固定するための桟材である。
【００１９】
次に、このユニット建物１の施工方法および作用について説明する。
工場で、建物ユニット２と屋根ユニット３を製造する。
この建物ユニット２と屋根ユニット３を施工現場に運搬し、施工現場で予め設けられている基礎９の上に建物ユニット２を据え付け、この建物ユニット２の上に屋根ユニット３を据え付け、屋根ユニット３の野地板４５、５９の上に屋根材を葺いたり、各建物ユニット２間や屋根ユニット３間の接合部の仕上げや、内作、外作やその他の仕上げを行ってユニット建物１を完成する。
【００２０】
この際、建物ユニット２の耐力壁２１の上に屋根ユニット３の屋根小壁４の下枠４３、５３１を載せて据え付ける。
すると、連結材６２、６３の下端、即ち、下弦材６２２、６３２が束材９１、９２の中央部に取り付けられて、この下弦材６２２、６３２の下側に天井７が取り付けられているから、天井７より束材９１、９２が下方に突出する。かつ、この束材９１、９２は断面寸法が３８ｍｍ×２３５ｍｍであり、耐力壁２１の枠組である木材は３８ｍｍ×８９ｍｍであるから、図１（ロ）に示すように、屋内側に束材９１、９２の一部が突出し、段差部９１１、９２１が形成される。
【００２１】
この段差部にカーテンボックス８を設けると、このカーテンボックス８を壁から突出させて設けたの同様の自然な外観となり、段差部が目立たず美観を損なうことがない。
又、連結材６２、６３の下側縁が屋根小壁４、５の束材９１、９２の下端より高い中央部に設けられているだけ、この連結材６２、６３の下面に設けられている天井７が高くなり、居住性のよい建物となる。
【００２２】
（実施例２）
図５は本発明建物をユニット建物に適用した他の実施例を示すもので、実施例１の図１（ロ）の相当するユニット建物の断面図である。実施例１と同じ部分は同じ番号を付して説明を省略する。
この実施例２は、実施例１のカーテンボックスに代えて、照明器具を設けたものである。
【００２３】
８５は反射板８６と電灯８７とからなる照明器具であり、この照明器具８５は束材９１、９２が屋内側に突出して形成された段差部９１１、９２１の下面に設けられている。
実施例１と同様に、連結材６２、６３の下下弦材６２２、６３２が束材９１、９２の中央部に取り付けられ、下弦材６２２、６３２の下側に天井７が取り付けられているから、天井７より束材９１、９２が下方に突出する。しかも、この束材９１、９２は断面寸法が３８ｍｍ×２３５ｍｍであり、耐力壁２１の枠組である木材は３８ｍｍ×８９ｍｍであるから、屋内側に束材９１、９２の一部が突出して段差部９１１、９２１が形成される。
【００２４】
この段差部９１１、９２１の下面には照明器具８５が設けられている。
このように照明器具８５が設けられていると、照明器具８５を壁から突出させて設けたのと同様の自然な外観で段差部が目立たず、美観を損なうことがない。
又、連結材６２、６３の下側縁が屋根小壁４、５の束材９１、９２の下端より高い中央部に設けられているだけ、この連結材６２、６３の下面に設けられている天井７が高くなり、居住性のよい建物となる。
【００２５】
【発明の効果】
本発明の建物は、連結材の下側縁を屋根小壁の下端より高く位置させて連結材が屋根小壁に取り付けられ、この連結材の下面に天井が設けられているから、天井が高くなり、建物の居住性がよい。
請求項１記載の発明では、束材が屋内側に突出して形成された段差部にカーテンボックスが設けられているから、段差部が目立たず、美観を損なうことがない。
請求項２記載の発明では、束材が屋内側に突出して形成された段差部に照明器具が設けられているから、段差部が目立たず、美観を損なうことがない。
【図面の簡単な説明】
【図１】本発明建物をユニット建物に適用した一実施例を示すもので、（イ）はユニット建物を示す説明図、（ロ）はＡ−Ａ線における断面図である。
【図２】耐力壁を示す一部切欠説明図である。
【図３】建物ユニットを示す説明図である。
【図４】（イ）は軒側の屋根ユニットを示す説明図、（ロ）は棟側部の屋根ユニットを示す説明図である。
【図５】本発明建物をユニット建物に適用した他の実施例を示すもので、建物の連結材の下端部分を示す説明図である。
【符号の説明】
１                ユニット建物
２                建物ユニット
２１              耐力壁
２２              床パネル
３                屋根ユニット
３−１            軒側の屋根ユニット
３−２            棟側の屋根ユニット
４、５            屋根小壁
６２、６３  連結材
７                天井
８                カーテンボックス
８５              照明器具
９１、９２        束材
９１１、９２１    段差部
【図１】
0003749578.tif 000002
【図２】
0003749578.tif 000003
【図３】
0003749578.tif 000004
【図４】
0003749578.tif 000005
【図５】
0003749578.tif 000006